(57)【要約】【課題】レーザ光の出射方向を所定方向に回転させる際の駆動特性の低下を抑制可能なレーザ装置、及びレーザ装置のゲイン調整方法を提供する。【解決手段】レーザトラッカー１０は、レーザ光を出射するレーザ干渉計１４と、入力された駆動指令に基づいてレーザ干渉計１４を、第一軸及び第二軸を中心として回転させる第一モーター１６１及び第二モーター１７１と、レーザ干渉計１４の回転角度を検出する第一エンコーダ１６２及び第二エンコーダ１７２と、一定速度でレーザ光源を原点位置まで回転させる駆動指令により第一モーター１６１及び第二モーター１７１を駆動させた際のレーザ干渉計の回転速度からゲインを設定するゲイン設定手段１５５と、ゲイン設定手段１５５により設定されたゲインに基づいて第一モーター１６１及び第二モーター１７１を制御してレーザ干渉計を回転させる第一制御部１５１及び第二制御部１５２と、を備える。【選択図】図２
2019086362.tif 000002
【特許請求の範囲】
【請求項１】
レーザ光を出射するレーザ光源と、
入力された駆動指令に基づいて、前記レーザ光源を、所定の基準軸を中心として回転させる角度調整手段と、
前記基準軸に設定された原点位置からの前記レーザ光源の回転角度を検出する角度検出手段と、
所定の一定速度で前記レーザ光源を前記原点位置まで回転させる前記駆動指令を前記角度調整手段に出力した際の前記レーザ光源の回転速度からゲインを設定するゲイン設定手段と、
前記ゲイン設定手段により設定されたゲインに基づいて、前記角度調整手段による前記レーザ光源の回転を制御する制御手段と、を備える
ことを特徴とするレーザ装置。
【請求項２】
請求項１に記載のレーザ装置において、
前記角度調整手段は、前記基準軸として第一軸と、前記第一軸に交差する第二軸とを有し、前記第一軸を回転中心として前記レーザ光源を回転させる第一角度調整手段、及び前記第二軸を回転中心として前記レーザ光源を回転させる第二角度調整手段を含み、
前記ゲイン設定手段は、前記レーザ光源の第一軸回りの回転速度に基づいて前記第一角度調整手段に対するゲインを設定し、前記レーザ光源の第二軸回りの回転速度に基づいて前記第二角度調整手段に対するゲインを設定する
ことを特徴とするレーザ装置。
【請求項３】
請求項２に記載のレーザ装置において、
前記レーザ光源は、標的に対して出射するレーザ光と、前記標的から反射されたレーザ光との干渉から前記標的までの距離を測長するレーザ干渉計であり、
当該レーザ干渉計は、前記レーザ干渉計から出射されるレーザ光である出射光と、前記標的により反射されたレーザ光である反射光との光軸のずれ量を検出する光軸検出センサーと、を備え、
前記制御手段は、前記ずれ量が所定値以下となるように前記角度調整手段の駆動を制御する
ことを特徴とするレーザ装置。
【請求項４】
請求項１から請求項３のいずれか１項に記載のレーザ装置において、
前記制御手段は、電源の投入時に、所定の一定速度で前記レーザ光源を前記原点位置まで移動させる前記駆動指令を前記角度調整手段に出力する
ことを特徴とするレーザ装置。
【請求項５】
レーザ光を出射するレーザ光源と、入力された駆動指令に基づいて、前記レーザ光源を、所定の基準軸を中心として回転させる角度調整手段と、前記基準軸に設定された原点位置からの前記レーザ光源の回転角度を検出する角度検出手段と、を備えたレーザ装置のゲイン調整方法であって、
所定の一定速度で前記レーザ光源を前記原点位置まで回転させる前記駆動指令を前記角度調整手段に出力して原点を検出する原点検出工程と、
前記原点検出工程において、前記角度検出手段により検出される単位時間あたりの角度変化量に基づいてゲインを設定するゲイン設定工程と、
を実施することを特徴とするレーザ装置のゲイン調整方法。
【発明の詳細な説明】
【技術分野】
【０００１】
本発明は、レーザ光を出射するレーザ装置、及びレーザ装置のゲイン調整方法に関し、特に、標的に対してレーザ光を追尾させるレーザトラッカー及びそのゲイン調整方法に関する。
【背景技術】
【０００２】
従来、標的に対してレーザ光を照射するレーザ装置（例えばレーザトラッカー等）が知られている（例えば、特許文献１参照）。
特許文献１に記載のレーザ装置は、移動体に設けられたレトロリフレクタに対してレーザ光を照射し、移動体を追尾するようにレーザ光の照射方向を変更するレーザトラッカーである。
具体的には、このレーザトラッカーは、レーザ干渉計と、レーザ干渉計から出力されるレーザ光（出射光）の光軸方向を任意の方向に向ける２軸回転機構と、レトロリフレクタで反射された戻り光（反射光）の光軸のずれを検出する検出センサーとを備える。そして、レーザトラッカーは、検出センサーによって出射光と入射光とのずれを検出して、出射光と入射光とが同軸となるように２軸回転機構をフィードバック制御し、レトロリフレクタの中心に出射光が照射されるように追尾させる。
【先行技術文献】
【特許文献】
【０００３】
【特許文献１】特開２００９−２２９０６６号公報
【発明の概要】
【発明が解決しようとする課題】
【０００４】
ところで、レーザ光の出射方向を回転軸機構によって回転軸回りで回転させて制御するレーザ装置では、回転軸の軸受の摩擦係数が経年変化等によって徐々に変化する。このような場合、所定の駆動信号を回転機構のモーターに入力した際の回転速度も変化するため、レーザ光の出射方向を所定方向に回転させる際の駆動特性が低下するとの課題がある。
特に、特許文献１に記載のようなレーザトラッカーでは、レトロリフレクタを追尾するように、レーザ光の出射方向を制御する必要がある。しかしながら、例えば、軸受の摩擦係数が低くなると、レーザ光の照射位置がレトロリフレクタを越えて移動してしまい、摩擦係数が高くなると、レーザ光の照射位置がレトロリフレクタの移動に追いつかなくなってしまい、追尾性能が低下する。このため、従来のレーザトラッカーでは、このような課題を解決するために、２軸回転機構をステップ駆動させた際に検出されるレーザ干渉計の回転速度に係る速度信号をサンプリングし、操作者が、その信号波形を確認して、２軸回転機構の駆動制御系に係るゲインを手動で調整する必要があった。
【０００５】
本発明は、レーザ光の出射方向を所定方向に回転させる際の駆動特性の低下を抑制可能なレーザ装置、及びレーザ装置のゲイン調整方法を提供することを目的する。
【課題を解決するための手段】
【０００６】
本発明のレーザ装置は、レーザ光を出射するレーザ光源と、入力された駆動指令に基づいて、前記レーザ光源を、所定の基準軸を中心として回転させる角度調整手段と、前記基準軸に設定された原点位置からの前記レーザ光源の回転角度を検出する角度検出手段と、所定の一定速度で前記レーザ光源を前記原点位置まで回転させる前記駆動指令を前記角度調整手段に出力した際の前記レーザ光源の回転速度からゲインを設定するゲイン設定手段と、前記ゲイン設定手段により設定されたゲインに基づいて、前記角度調整手段による前記レーザ光源の回転を制御する制御手段と、を備えることを特徴とする。
【０００７】
本発明では、レーザ光源と、レーザ光源を、基準軸を回転中心として回転させる角度調整手段とを備えるレーザ装置であって、制御手段は、ゲイン設定手段により設定されたゲインに基づいて角度調整手段によるレーザ光源の回転を制御する。そして、このゲイン設定手段は、レーザ光源を一定の駆動速度で原点位置まで回転させる原点検出動作を実施した際のレーザ光源の回転速度に基づいてゲインを設定する。
すなわち、レーザ光を所定の角度に出射するレーザ装置では、通常、角度調整手段によるレーザ光源の出射角度を角度検出手段により検出してレーザ光の照射方向を所望の方向に合わせる。このようなレーザ装置では、レーザ光の方向制御の前に、角度検出手段（例えばロータリーエンコーダ等）の原点位置を検出するために、レーザ光源を原点位置まで移動させる原点検出動作を実施する。本発明では、このような原点検出動作を行う際に、レーザ光源を一定の速度で回転させる旨の駆動信号を角度調整手段に出力し、その際のレーザ光源の回転速度に基づいて、ゲインを調整する。つまり、原点検出動作において、指令した速度よりも検出された回転速度が速い場合にはゲインを小さくし、指令した速度よりも検出された回転速度が遅い場合にはゲインを大きくする。
これにより、例えば、経年変化によってレーザ光源を回転させる角度調整手段の回転軸とその軸受とに摩擦係数の変化が生じた場合でも、レーザ光の方向制御の前に、摩擦係数の変化に対応して、角度調整手段の駆動制御系のゲインを適正な値に調整することができ、レーザ光の出射方向を所定方向に回転させる際の駆動特性の低下を抑制できる。
【０００８】
本発明のレーザ装置において、前記角度調整手段は、前記基準軸として第一軸と、前記第一軸に交差する第二軸とを有し、前記第一軸を回転中心として前記レーザ光源を回転させる第一角度調整手段、及び前記第二軸を回転中心として前記レーザ光源を回転させる第二角度調整手段を含み、前記ゲイン設定手段は、前記レーザ光源の第一軸回りの回転速度に基づいて前記第一角度調整手段に対するゲインを設定し、前記レーザ光源の第二軸回りの回転速度に基づいて前記第二角度調整手段に対するゲインを設定することが好ましい。
【０００９】
本発明では、角度調整手段は、第一軸及び第二軸を回転中心とした２軸回転機構であり、レーザ光源の出射方向を三次元空間の任意の方向に合わせることができる。そして、本発明では、ゲイン設定手段は、レーザ光源を第一軸回りで回転させる第一角度調整手段と、レーザ光源を第二軸回りで回転させる第二角度調整手段とのそれぞれに対するゲインを設定する。
このため、第一角度調整手段における回転軸の軸受構成における摩擦係数の変化量と、第二角度調整手段における回転軸の軸受構成における摩擦係数の変化量とがそれぞれ異なる場合でも、それぞれの摩擦係数の変化に対応した適切なゲインを設定することができる。
【００１０】
本発明のレーザ装置において、前記レーザ光源は、標的に対して出射するレーザ光と、前記標的から反射されたレーザ光との干渉から前記標的までの距離を測長するレーザ干渉計であり、当該レーザ干渉計は、前記レーザ干渉計から出射されるレーザ光である出射光と、前記標的により反射されたレーザ光である反射光との光軸のずれ量を検出する光軸検出センサーと、を備え、前記制御手段は、前記ずれ量が所定値以下となるように前記角度調整手段の駆動を制御することが好ましい。
本発明では、レーザ光源から出射されるレーザ光（出射光）と、標的から反射されるレーザ光（反射光）との光軸のずれ量を検出し、制御手段は、そのずれ量が所定値以下となるように、角度調整手段の駆動を制御する。このようなレーザ装置では、レーザ光源からのレーザ光を標的に対して追尾させることができる。
このように、レーザ光を標的に追尾させるように移動させる場合では、経年変化による角度調整手段の各軸受機構の摩擦係数が変化すると、標的への追尾性能が低下してしまう。これに対して、本発明では、原点検出動作を行った際に角度調整手段の駆動制御系に係るゲインが最適な値に設定されることで、レーザ光で標的を追尾する際の追尾性能を向上させることができる。
【００１１】
本発明のレーザ装置において、前記制御手段は、電源の投入時に、所定の一定速度で前記レーザ光源を前記原点位置まで移動させる前記駆動指令を前記角度調整手段に出力することが好ましい。
本発明では、レーザ装置の電源が投入された際に、制御手段により原点検出動作が実施され、その際に検出される角度調整手段の各軸回りの回転速度に基づいてゲインが設定される。つまり、本発明では、レーザ装置の電源が投入される度に、適正なゲインが設定されることになり、経年劣化による角度調整手段の駆動特性の低下をより確実に抑制できる。
【００１２】
本発明のレーザ装置のゲイン調整方法は、レーザ光を出射するレーザ光源と、入力された駆動指令に基づいて、前記レーザ光源を、所定の基準軸を中心として回転させる角度調整手段と、前記基準軸に設定された原点位置からの前記レーザ光源の回転角度を検出する角度検出手段と、を備えたレーザ装置のゲイン調整方法であって、所定の一定速度で前記レーザ光源を前記原点位置まで回転させる前記駆動指令を前記角度調整手段に出力して原点を検出する原点検出工程と、前記原点検出工程において、前記角度検出手段により検出される単位時間あたりの角度変化量に基づいてゲインを設定するゲイン設定工程と、を実施することを特徴とする。
本発明では、上記発明と同様に、原点検出工程（原点検出動作）によって原点を検出する際に、角度検出手段により検出される単位時間当たりの角度変化量（つまり回転速度）に基づいて、角度調整手段の駆動制御系のゲインが設定される。したがって、角度調整手段の回転軸の軸受機構において、経年劣化等による摩擦係数の変化が生じている場合でも、レーザ光の方向制御の前に、摩擦係数の変化に対応した適正なゲインを調整することができ、レーザ光の出射方向を所定方向に回転させる際の駆動特性の低下を抑制できる。
【図面の簡単な説明】
【００１３】
【図１】第一実施形態のレーザトラッカーの概略構成を示す図。
【図２】第一実施形態のレーザトラッカーの制御構成を示す図。
【図３】第一実施形態のレーザトラッカーにおけるゲイン調整方法を示すフローチャート。
【図４】速度信号渡過応答の評価及びゲイン調整処理を示すフローチャート。
【図５】第二実施形態のレーザトラッカーにおけるゲイン調整方法を示すフローチャート。
【発明を実施するための形態】
【００１４】
［第一実施形態］
以下、本発明の第一実施形態について説明する。
［装置構成］
図１は、本実施形態のレーザトラッカー１０の概略構成を示す図である。図２は、本実施形態のレーザトラッカー１０の制御構成を示す概略図である。
図１において、本実施形態のレーザトラッカー１０は、本発明のレーザ装置に相当し、このレーザトラッカー１０は、三次元空間を任意に移動可能に支持された標的３１の動的位置を追尾しつつ、その三次元位置を計測したり、レーザトラッカー１０から標的３１までの距離を測長したりするものである。この標的３１は、三次元に移動可能な図示されない移動機構に、ヘッド３０を介して支持される。このような機構の具体例としては、例えばテーブルに対して主軸が三次元移動する工作機械や三次元測定装置等が挙げられる。
標的３１は、レトロリフレクタであり、ヘッド３０に装着される。標的３１としては他の再帰反射体であってもよい。
【００１５】
レーザトラッカー１０は、ベース１１、第一支持部１２、第二支持部１３、レーザ干渉計１４、及び制御部１５を有する。
ベース１１は、例えば工作機械や三次元測定装置等のステージ３２上に載置（又は固定）される。
第一支持部１２は、ベース１１に対して第一回転機構１６（図２参照）により、第一軸Ｌ１（基準軸）を回転中心として回転可能に支持される。第一軸Ｌ１は、例えば、ステージ３２の上面に対して直交する軸となる。
第二支持部１３は、第一支持部１２に対して第二回転機構１７（図２参照）により、第二軸Ｌ２（基準軸）を回転中心として回転可能に支持される。第二軸Ｌ２は、第一軸Ｌ１に対して交差（本実施形態では直交）する軸である。
第一軸Ｌ１と第二軸Ｌ２の交点は、レーザトラッカー１０による測定基準点Ｍとなる。
【００１６】
第一回転機構１６は、図２に示すように、本発明の角度調整手段及び第一角度調整手段を構成する第一モーター１６１と、本発明の角度検出手段を構成する第一エンコーダ１６２と、を含んで構成される。また、第一回転機構１６には、第一支持部１２をベース１１に対して回転可能に支持する第一軸受機構１６３を有する。
第一モーター１６１は、第一支持部１２を、第一軸Ｌ１を中心に回転させるモーターである。第一エンコーダ１６２は、例えばロータリーエンコーダにより構成され、第一原点位置（θ＝０°）からの第一支持部１２の回転角度（方位角θ）を検出する。
同様に、第二回転機構１７は、本発明の角度調整手段及び第二角度調整手段を構成する第二モーター１７１と、本発明の角度検出手段を構成する第二エンコーダ１７２と、を含んで構成される。また、第二回転機構１７には、例えば第二支持部１３を第一支持部１２に対して回転可能に支持する第二軸受機構１７３を有する。
第二モーター１７１は、第二支持部１３を、第二軸Ｌ２を中心に回転させるモーターである。第二エンコーダ１７２は、例えばロータリーエンコーダにより構成され、第二原点位置（φ＝０°）からの第二支持部１３の回転角度（仰角φ）を検出する。
【００１７】
レーザ干渉計１４は、第二支持部１３に支持され、２つの回転機構１６，１７で指定される方角（方位角θ、仰角φ）に向けてレーザ光（出射光）を照射し、標的３１で再帰反射されたレーザ光（反射光）を受光し、照射光と反射光との干渉から測定基準点Ｍと標的３１との距離の変化を測定する。
また、レーザ干渉計１４は、出射光の主光軸と、反射光の主光軸とを検出する光軸検出センサー１４１（図２参照）を備える。この光軸検出センサー１４１としては、例えば、特開２００７−３０９６７７号公報に記載された従来の構成のセンサーを用いることができ、半透過鏡により出射光と反射光とのそれぞれを光スポット位置検出素子に反射させ、光スポット位置検出素子で出射光のスポット位置と反射光のスポット位置との位置からずれ量を検出する構成等が例示できる。
【００１８】
制御部１５は、図２に示すように、光軸検出センサー１４１に接続される、第一制御部１５１及び第二制御部１５２を備える。第一制御部１５１及び第二制御部１５２は、本発明の制御手段に相当し、光軸検出センサーにより検出される出射光と反射光との光軸のずれ量が０となるように、第一モーター１６１及び第二モーター１７１をフィードバック制御する。
また、第一制御部１５１と第一モーター１６１との間には、第一プログラマブルゲインアンプ（以降、第一ＰＧＡ１５３と称する）が設けられ、第二制御部１５２と第二モーター１７１との間には、第二プログラマブルゲインアンプ（以降、第二ＰＧＡ１５４と称する）が設けられる。
【００１９】
さらに、制御部１５は、第一ＰＧＡ１５３及び第二ＰＧＡ１５４のゲインを設定するゲイン設定手段１５５を備える。
ゲイン設定手段１５５は、原点検出動作において、第一エンコーダ１６２から出力される速度信号、及び第二エンコーダ１７２から出力される速度信号をサンプリングし、これらの速度信号を速度信号過渡応答としてその評価を行い、評価結果に基づいてゲインを設定する。ゲイン設定手段１５５によるゲインの設定方法の詳細に関しては、後述する。
【００２０】
［レーザトラッカー１０におけるゲイン調整方法］
次に、上述したレーザトラッカー１０におけるゲイン調整方法について説明する。
図３は、本実施形態におけるゲイン調整方法を示すフローチャートである。
本実施形態のレーザトラッカー１０では、例えば操作者の操作によって、電源が投入されると、制御部１５は、レーザトラッカー１０の駆動モードを初期化モードに切替え（ステップＳ１）、原点検出動作（原点検出工程）を開始する。
この原点検出動作では、制御部１５は、レーザ干渉計１４の角度（方位角θ及び仰角φ）を原点位置（θ０，φ０）（＝（０°，０°））に向かって移動させる（ステップＳ２）。この際、制御部１５は、予め設定された一定の速度（基準速度）でレーザ干渉計１４を回転させる旨の駆動指令を、第一モーター１６１及び第二モーター１７１に出力する。なお、第一モーター１６１により駆動される方位角方向の基準速度（第一基準速度）と、第二モーター１７１により駆動される仰角方向の基準速度（第二基準速度）とは、それぞれ異なる速度であってもよい。
【００２１】
次に、ゲイン設定手段１５５は、ステップＳ２のレーザ干渉計１４の回転移動における速度信号（速度信号過渡応答）のサンプリングを実施する（ステップＳ３）。速度信号過渡応答のサンプリングは、例えば、第一エンコーダ１６２や第二エンコーダ１７２から出力される検出信号の単位時間当たりのパルス数（角度変化量）をカウントすることで得られる。第一エンコーダ１６２からの検出信号に基づいて方位角方向の角速度の速度信号過渡応答が検出でき、第二エンコーダ１７２からの検出信号に基づいて仰角方向の角速度の速度信号過渡応答が検出できる。また、サンプリングされた速度信号過渡応答は、制御部１５に設けられたメモリ（図示略）等の記憶回路に記憶される。
【００２２】
この後、レーザ干渉計１４の方位角θがθ＝θ０（＝０°）となり、仰角φがφ＝φ０（＝０°）となると、原点が検出されたとして、第一モーター１６１及び第二モーター１７１の駆動を停止、つまり、レーザ干渉計１４の移動を停止する（ステップＳ４）。
【００２３】
そして、ゲイン設定手段１５５は、メモリに記憶された速度信号過渡応答を読み出し、その評価を行うとともにゲインを設定する（ステップＳ５；ゲイン設定工程）。図４は、速度信号過渡応答の評価方法を示すフローチャートである。
このステップＳ５では、ゲイン設定手段１５５は、まず、速度信号過渡応答がオーバーシュートしているか否かを判定する（ステップＳ５１）。
ステップＳ５１においてＹｅｓと判定される場合は、第一回転機構１６の第一軸受機構１６３や第二回転機構１７の第二軸受機構１７３の摩擦係数が小さくなっており、レーザ干渉計１４の回転速度が、基準速度よりも速くなっているので、ゲインを減少させる（ステップＳ５２）。
【００２４】
一方、ステップＳ５１においてＮｏと判定された場合、ゲイン設定手段１５５は、速度信号過渡応答の時定数が所定値以上となるか否かを判定する（ステップＳ５３）。
ステップＳ５３においてＹｅｓと判定される場合は、第一回転機構１６における軸受（図示略）の摩擦係数が大きくなっており、レーザ干渉計１４の回転速度が、基準速度となるまでの時間が長くなっているので、ゲインを増大させる（ステップＳ５４）。
ステップＳ５３においてＮｏと判定される場合は、現在の第一ＰＧＡ１５３や第二ＰＧＡ１５４で設定されているゲインが最適な値であるとして、ゲインの変更は行わない（ステップＳ５５）。
【００２５】
なお、上記の速度信号過渡応答の評価は、方位角方向、及び仰角方向の双方でそれぞれ実施される。すなわち、第一エンコーダ１６２から出力される検出信号に基づいた方位角方向の速度信号過渡応答の判定により、第一ＰＧＡ１５３のゲインを設定する。例えば、方位角方向の速度信号過渡応答がオーバーシュートしている場合、第一ＰＧＡ１５３のゲインを予め設定された値だけ減少させる。また、方位角方向の速度信号過渡応答の時定数が所定値以上である場合、第一ＰＧＡ１５３のゲインを予め設定された値だけ増大させる。
また、第二エンコーダ１７２から出力される検出信号に基づいた仰角方向の速度信号過渡応答の判定により、第二ＰＧＡ１５４のゲインを同様に設定する。
【００２６】
以上の後、制御部１５は、ステップＳ５において、ゲインが変更されたか否かを判定する（ステップＳ６）。ステップＳ６においてＹｅｓと判定された場合（ゲイン変更有）、制御部１５は、第一モーター１６１及び第二モーター１７１を、例えば予め設定された駆動量だけ駆動させてレーザ干渉計１４を所定位置に移動させ（ステップＳ７）、ステップＳ２に戻る。すなわち、再度、原点検出動作を実施させ、その際にサンプリングされる速度信号過渡応答に基づいて、設定されたゲインが最適であるか否かを判定する。
以上の処理を、ステップＳ６においてＮｏと判定されるまで繰り返し実施されることで、第一回転機構１６及び第二回転機構１７の駆動制御に係るゲインが最低な値に設定される。そして、ステップＳ６においてＮｏと判定されると、ステップＳ４で検出された原点を原点として決定し（ステップＳ８）、初期化モードを終了する（ステップＳ９）。
【００２７】
［本実施形態の作用効果］
本実施形態のレーザトラッカー１０では、レーザ干渉計１４を原点位置まで回転させて原点位置を検出する原点検出動作において、レーザ干渉計１４を一定の基準速度で移動させる。そして、ゲイン設定手段１５５は、この原点位置検出動作における速度信号過渡応答がオーバーシュートしている場合にゲインを減少させ、速度信号過渡応答の時定数が長い場合にゲインを増大させる。これにより、第一回転機構１６の第一軸受機構１６３や第二回転機構１７の第二軸受機構１７３において、経年変化等による摩擦係数の変動が生じていたとしても、その影響をキャンセルする最適な制御ゲインを設定することができる。よって、レーザトラッカー１０により標的３１を追尾させる際の追尾性能の低下を抑制できる。
【００２８】
本実施形態では、ゲイン設定手段１５５は、方位角方向の回転角度を検出する第一エンコーダ１６２からの検出信号に基づく速度信号過渡応答により、第一ＰＧＡ１５３のゲインを設定する。また、仰角方向の回転角度を検出する第二エンコーダ１７２から出力された検出信号に基づく速度信号過渡応答により、第二ＰＧＡ１５４のゲインを設定する。これにより、方位角方向に対応する第一モーター１６１の駆動制御のためのゲイン、及び仰角方向に対応する第二モーター１７１の駆動制御のためのゲインを、それぞれ適正に設定することができる。
【００２９】
本実施形態では、制御部１５は、電源投入時に初期化モードに動作モードを切り替えて、原点検出動作を実施させる。したがって、レーザトラッカー１０により標的３１を追尾させる追尾処理の前に、第一回転機構１６や第二回転機構１７の駆動制御系のゲインを最適な値に設定することができる。また、電源投入による起動時に毎回ゲイン調整が実施されることになるので、経年劣化による追尾性能の低下を確実に抑制できる。
【００３０】
［第二実施形態］
次に、本発明の第二実施形態について説明する。
上述した第一実施形態では、ステップＳ２からステップＳ４でレーザ干渉計１４を原点位置まで移動させた後に速度信号過渡応答に基づいたゲイン調整を実施した。これに対して、本実施形態では、ステップＳ２の後、ステップＳ４までの間にゲイン調整を実施する点で上記第一実施形態と相違する。
なお、本実施形態のレーザトラッカー１０は、上述した第一実施形態と同様の構成を有するものであるため、各構成の詳細な説明は省略する。また、以降の説明においても、同一構成については同符号を付し、その説明は省略又は簡略化する。
【００３１】
図５は、本実施形態のレーザトラッカー１０のゲイン調整方法を示すフローチャートである。
図５に示すように、本実施形態では、第一実施形態と同様に、レーザトラッカー１０に電源が投入されると、制御部１５は、ステップＳ１で動作モードを初期化モードに切替え、ステップＳ２に示すように、レーザ干渉計１４を原点位置に向かって一定の基準速度で回転移動させる。また、ステップＳ３に示すように、移動開始からの速度信号過渡応答を検出する。
【００３２】
さらに、本実施形態では、制御部１５は、ステップＳ２の移動開始からの経過時間を計測する。そして、制御部１５は、ステップＳ２から所定時間が経過したか否かを判定する（ステップＳ１１）。
ステップＳ１１においてＹｅｓと判定されると、レーザ干渉計１４の移動を一次停止させ（ステップＳ１２）、ステップＳ５に示す速度信号過渡応答の評価によるゲイン調整（第一実施形態のステップＳ５１〜ステップＳ５５）を実施する。この後、ステップＳ２に戻り、一時停止した位置からレーザ干渉計１４を再び原点位置に向かって移動させるとともに速度信号過渡応答を検出する。
また、ステップＳ１１において、Ｎｏと判定された場合は、制御部１５は、原点位置が検出されたか否かを判定し（ステップＳ１３）、ステップＳ１３においてＮｏと判定された場合は、ステップＳ１１に戻る。
つまり、本実施形態では、レーザ干渉計１４が原点位置に移動するまで、周期的に移動と一時停止を繰り返して、一時停止される毎に検出された速度信号過渡応答に基づいたゲイン調整が実施される。
【００３３】
一方、ステップＳ１３においてＹｅｓと判定されると、第一実施形態と同様に、ステップＳ４からステップＳ９の処理が実施される。つまり、最後にステップＳ１２において一時停止した位置から原点位置までの間に検出した速度信号過渡応答の評価及びゲイン調整を実施する。
【００３４】
なお、図５に示す例では、ステップＳ６において、ゲイン変更有と判定された場合に、ステップＳ７により任意の位置にレーザ干渉計１４を移動させて再度ゲイン調整の処理を繰り返す例を示すが、これに限られない。本実施形態では、周期的に複数回の速度信号過渡応答の評価を行ってゲイン調整を実施するので、ステップＳ６及びステップＳ７の処理を省略してもよい。
【００３５】
［本実施形態の作用効果］
本実施形態では、原点検出動作において、レーザ干渉計１４の回転と停止とを周期的に繰り返してゲイン調整を実施する。この場合、例えば、レーザ干渉計１４を原点位置に移動させた後にゲイン調整を実施する場合に比べて、早期に最適なゲインに収束させることができ、ゲイン調整に係る時間を短縮できる。
【００３６】
［変形例］
なお、本発明は前述した実施形態に限定されるものではなく、本発明の目的を達成できる範囲の変形等は本発明に含まれるものである。
例えば、上記実施形態では、本発明のレーザ装置として、標的３１に対してレーザ光を追尾させて、標的３１と測定基準点Ｍとの距離を計測する装置を例示したが、これに限定されない。
例えば、測長機能を有さず、標的３１を追尾するのみのレーザ追尾装置であってもよい。すなわち、上記実施形態のレーザ干渉計１４の代わりに、レーザ光を出射するレーザ光源と、出射光と反射光とのずれ量を検出する光軸検出センサーとを有するレーザ追尾センサーを用いてもよい。
【００３７】
また、上記実施形態では、２軸回転機構により、レーザ干渉計１４を方位角θ及び仰角φで回転させる構成を例示したが、これに限定されない。例えば、標的３１が方位角方向にのみ変位する場合では、レーザ干渉計１４を仰角方向に回転移動させる第二回転機構１７が設けられていなくてもよい。この場合、レーザ干渉計１４を、第一原点位置を検出する原点検出動作において一定速度で回転させ、その際の速度信号過渡応答によりゲインを設定すればよい。
【００３８】
上記実施形態では、制御部１５は、電源投入時に初期化モードを動作モードに切り替えて原点検出動作を実施し、その際の速度信号過渡応答に基づいてゲインを調整する例を示したが、これに限定されない。
例えば、操作者の操作によって原点位置を検出する原点検出動作が指令された際にも、上記実施形態と同様の処理を実施して、ゲイン調整を実施してもよい。この場合、レーザトラッカー１０の長時間使用による各回転機構１６，１７の摩擦係数の変化にも対応することができる。
【産業上の利用可能性】
【００３９】
本発明は、レーザ光の出射するレーザ光源やレーザ干渉計を回転軸回りに回転させることでレーザ光の出射方向を変更するレーザ装置、レーザトラッカー等に利用できる。
【符号の説明】
【００４０】
１０…レーザトラッカー（レーザ装置）、１１…ベース、１２…第一支持部、１３…第二支持部、１４…レーザ干渉計（レーザ光源）、１５…制御部、１６…第一回転機構、１７…第二回転機構、３１…標的、１４１…光軸検出センサー、１５１…第一制御部（制御手段）、１５２…第二制御部（制御手段）、１５３…第一ＰＧＡ、１５４…第二ＰＧＡ、１５５…ゲイン設定手段、１６１…第一モーター（角度調整手段、第一角度調整手段）、１６２…第一エンコーダ（角度検出手段）、１６３…第一軸受機構、１７１…第二モーター（角度調整手段、第二角度調整手段）、１７２…第二エンコーダ（角度検出手段）、１７３…第二軸受機構、Ｌ１…第一軸（基準軸）、Ｌ２…第二軸（基準軸）。
【図１】
2019086362.tif 000003
【図２】
2019086362.tif 000004
【図３】
2019086362.tif 000005
【図４】
2019086362.tif 000006
【図５】
2019086362.tif 000007